(57)【要約】【課題】自動的に設置状態を検出して最適な環境設定を行う表示装置を提供する。【解決手段】バネ状プレート１１２が外側に湾曲したときにスイッチがオンとなるスイッチ１１３が固定されている。スイッチ１１３は、ＧＮＤ側のＧＮＤ端子１１３ａ、マイコン５０側の判別用入力端子１１３ｂ、電源側の電源接続部１１３ｃを備えている。ガイド１１１にスタンド２００を挿入すると、バネ状プレート１１２が外側に押し出されスイッチ１１３が「オン」となる。マイコン５０は判別用入力端子１１３ｂの「Ｌｏ」を検出し、スタンド２００が取り付けられたと判定する。ガイド１１１にスタンド２００が挿入されないときは、スイッチ１１３が「オフ」となる。マイコン５０は判別用入力端子１１３ｂの「Ｈｉ」を検出し、スタンド２００が取り付けられていないと判定する。マイコン５０は、この判定に基づいて表示装置本体１００に最適な環境設定を行う。【選択図】図１
2011135148.tif 000002
【特許請求の範囲】
【請求項１】
設置態様に応じてオンオフが切り替わるスイッチと、
前記スイッチのオンオフに応じて環境設定を行う環境設定手段と、
を備えたことを特徴とする表示装置。
【請求項２】
前記設置態様は、前記表示装置の放熱の容易性により区別された態様であることを特徴とする請求項１に記載の表示装置。
【請求項３】
前記環境設定は、前記表示装置の内部温度制御の環境パラメータ設定であることを特徴とする請求項１または請求項２に記載の表示装置。
【請求項４】
前記設置態様は、前記表示装置の音響強調度で区別された態様であることを特徴とする請求項１に記載の表示装置。
【請求項５】
前記環境設定は、前記表示装置の音響出力制御の環境パラメータ設定であることを特徴とする請求項１または請求項４に記載の表示装置。
【請求項６】
前記設置態様は、前記表示装置を壁に取り付けた状態か否かにより区別された態様であることを特徴とする請求項１に記載の表示装置。
【請求項７】
前記設置態様は、前記表示装置にスタンドを取り付けた状態か否かにより区別された態様であることを特徴とする請求項１に記載の表示装置。
【請求項８】
前記設置態様は、前記表示装置の卓上スタンドを開いた状態か閉じた状態かにより区別された態様であることを特徴とする請求項１に記載の表示装置。
【請求項９】
環境設定を実行するかを確認する確認手段を備え、
前記確認手段により確認されたときに環境設定を行うことを特徴とする請求項１から請求項８のいずれか１項に記載の表示装置。
【請求項１０】
設置態様に応じてオンオフを切り替える切替工程と、
前記切替工程のオンオフに応じて環境設定を行う環境設定工程と、
を備えたことを特徴とする表示装置の環境設定方法。
【発明の詳細な説明】
【技術分野】
【０００１】
本発明は、表示装置に係り、特に設置状態に応じて自動的に最適な環境設定を行う表示装置に関する。
【背景技術】
【０００２】
近年、表示装置は大型化、薄型化、軽量化され多種の製品が普及している。このような各種の表示装置にあっては型式やその設置状態に合わせて環境設定を行う場合がある。例えば、薄型の表示装置であれば装置内の空間が小さいので放熱による影響を受け易くなる。更に、薄型の表示装置にスタンドを取り付けて設置する場合とスタンドを取り付けずに壁に固定して設置する場合では、放熱による影響が異なる。このため、表示装置の型式やその設置状態に合わせた設定を行うためにメニュー画面が設けられ、ユーザがメニュー画面に表示される選択肢を選択しながら設定を行っていた。しかし、メニュー画面はツリー構造となっていることが多いため、ユーザが設定したい項目に辿り着くためには次々に下位のメニューに移動しなければならない。このため、ユーザが設定したい項目に辿り着くまでの操作が複雑となっていた。
【０００３】
このような設定を解りやすく、誤操作が少なく、操作性のよい設定方法を提供する技術として特開平５−２９８７８０号公報（特許文献１）を挙げることができる。特許文献１に開示の技術では、ユーザが設定を行う現時点での設定状態、切替状態を表示し、更に項目マークと選択マークをリモコンによってシフトさせることができるようになっている。
【先行技術文献】
【特許文献】
【０００４】
【特許文献１】特開平５−２９８７８０号公報
【発明の概要】
【発明が解決しようとする課題】
【０００５】
しかしながら、特許文献１に開示の技術における設定操作は、ユーザがメニュー画面によって設定を行うため、メニュー画面に表示されるメニュー項目や選択項目の内容を理解することができないことがある。このようなときには、現時点の設定状態や切替状態が表示されていても、ユーザはこの設定状態や切替状態を維持すべきか変更すべきかがわからないので、誤った設定を行ってしまうことがあった。
【０００６】
本発明はこのような状況に鑑みてなされたものであり、上記課題を解決できる表示装置を提供することを目的とする。
【課題を解決するための手段】
【０００７】
本発明の表示装置は、設置態様に応じてオンオフが切り替わるスイッチと、前記スイッチのオンオフに応じて環境設定を行う環境設定手段と、を備えたことを特徴としている。
本発明の表示装置の前記設置態様は、前記表示装置の放熱の容易性により区別された態様であることを特徴としている。
本発明の表示装置の前記環境設定は、前記表示装置の内部温度制御の環境パラメータ設定であることを特徴としている。
本発明の表示装置の前記設置態様は、前記表示装置の音響強調度で区別された態様であることを特徴としている。
本発明の表示装置の前記環境設定は、前記表示装置の音響出力制御の環境パラメータ設定であることを特徴としている。
本発明の表示装置の前記設置態様は、前記表示装置を壁に取り付けた状態か否かにより区別された態様であることを特徴としている。
本発明の表示装置の前記設置態様は、前記表示装置にスタンドを取り付けた状態か否かにより区別された態様であることを特徴としている。
本発明の表示装置の前記設置態様は、前記表示装置の卓上スタンドを開いた状態か閉じた状態かにより区別された態様であることを特徴としている。
本発明の表示装置は、環境設定を実行するかを確認する確認手段を備え、前記確認手段により確認されたときに環境設定を行うことを特徴としている。
本発明の表示装置の環境設定方法は、設置態様に応じてオンオフを切り替える切替工程と、前記切替工程のオンオフに応じて環境設定を行う環境設定工程と、を備えたことを特徴としている。
【発明の効果】
【０００８】
本発明によれば、ユーザがメニュー画面の選択肢から環境設定を行うことなく、表示装置自体が自動的に設置状態を検出してこの設置状態に合わせて最適な環境設定を行う表示装置を提供することができる。
【図面の簡単な説明】
【０００９】
【図１】本発明の第１の実施形態に係るスタンド取り付け状態を検出する表示装置の構造を示す図である。
【図２】本発明の第１の実施形態に係る表示装置の機能及び構成を示す図である。
【図３】本発明の第１の実施形態に係る表示装置における自動設定処理の手順を示すフローチャートである。
【図４】本発明の第１の実施形態に係る環境設定変更画面のフォーマットを示す図である。
【図５】本発明の第２の実施形態に係る壁取り付け状態を検出する表示装置の構造を示す図である。
【図６】本発明の第３の実施形態に係わる壁掛け状態を検出する表示装置の構造を示す図である。
【発明を実施するための形態】
【００１０】
以下、本発明を実施するための第１の実施形態（以下、「実施形態１」という）を、図面を参照して説明する。実施形態１は、取り外しが可能なスタンドを備えた表示装置において、表示装置本体にスタンドが取り付けられていることを検出し、表示装置本体にスタンドが取り付けられた状態の環境設定が行われる実施形態である。
【００１１】
表示装置本体１００のスタンドが取り付けられているか否かを検出する機能を有する表示装置本体１００の構造について説明する。図１（１）は、表示装置本体１００にスタンド２００を取り付ける手順を示す図である。図１（２）は、表示装置本体１００がスタンド２００の取り付け有無を検出する構造を説明する図である。
【００１２】
まず、表示装置本体１００にスタンド２００を取り付ける手順について説明する。図１（１）に示すように、スタンド２００の上部には、左右２本の支柱２１０が備えられている。また、表示装置本体１００にはこの左右２本の支柱２１０を受ける左右の受け穴１１０が形成されている。更に、この受け穴１１０には、十分な強度を持たせた金属製のガイド１１１が内部に固定されている。表示装置本体１００にスタンド２００を取り付ける場合は、ユーザが表示装置本体１００の左右の受け穴１１０に、スタンド２００の左右の支柱２１０を滑らせて差し込み、ビス等を用いて表示装置本体１００とスタンド２００を固定する。
【００１３】
次に、表示装置本体１００がスタンド２００の取り付け有無を検出する構造について説明する。図１（２）に示すように、表示装置本体１００の受け穴１１０とガイド１１１の一部に穴が空けられ、穴が空けられている箇所にバネ状プレート１１２が取り付けられている。バネ状プレート１１２は湾曲状のプレートで、支柱２１０がガイド１１１の内部に挿入されたとき、バネ状プレート１１２は支柱２１０により内側から押圧され外側に押し出される。また、バネ状プレート１１２が外側に湾曲したときに、オンとなる機械的なスイッチ１１３が設けられている。スイッチ１１３は、ＧＮＤ側に接続されるＧＮＤ端子１１３ａ、後述する図２に示すマイコン５０に接続される判別用入力端子１１３ｂ、電源側に抵抗を介してプルアップ接続される電源接続部１１３ｃを備えている。マイコン５０は、スイッチ１１３の判別用入力端子１１３ｂの検出レベルにより、スタンド２００が取り付けられているか取り付けられていないかを判定する。このような構造の表示装置本体１００の受け穴１１０にスタンド２００を挿入すると、バネ状プレート１１２が外側に押し出されるので、スイッチ１１３が「オン」となる。この場合、ＧＮＤ端子１１３ａと判別用入力端子１１３ｂが接続されるので、マイコン５０は判別用入力端子１１３ｂの「Ｌｏ」を検出し、スタンド２００が取り付けられたと判定する。また、表示装置本体１００の受け穴１１０にスタンド２００が挿入されていないときには、バネ状プレート１１２は外側に押し出されないので、スイッチ１１３が「オフ」となる。この場合、判別用入力端子１１３ｂは抵抗を介して電源にプルアップされた状態となるので、マイコン５０は判別用入力端子１１３ｂの「Ｈｉ」を検出し、スタンド２００が取り付けられていないと判定する。
【００１４】
次に、表示装置本体１００の機能及び構成を説明する。図２に示すように表示装置本体１００は、受信部１０、音声処理部２０、画像処理部３０、表示部４０、マイコン５０、不揮発性メモリ６０、電源制御部７０及び電源８０から構成されている。受信部１０は、放送電波の信号を受信して復調する部位である。音声処理部２０は、復調された音声データを処理してスピーカに出力する部位である。映像処理部３０は、復調された映像データを処理して表示部４０に出力する部位である。表示部４０は、映像処理部３０から出力された映像データ、またはマイコン５０から出力される画面データを表示する部位である。マイコン５０は、表示装置本体１００全体を制御する部位で、判別用入力端子１１３ｂの検出レベルを入力する。また、マイコン５０は、表示装置本体１００の設定状態に応じて動的に環境設定を行う自動環境設定処理部５１を備えている。更に、マイコン５０は、現在設定されている環境設定パラメータをマイコン５０のメモリに記憶している。不揮発性メモリ６０は、マイコン５０が実行するプログラムやデータ等を記憶するメモリである。不揮発性メモリ６０には、スタンド取り付け状態のデータが保存されているスタンド取り付け状態保存エリア６１を備えている。また、不揮発性メモリ６０には、表示装置本体１００に設定される各種の環境設定パラメータが保存されている環境設定パラメータ保存エリア６２を備えている。また、環境設定パラメータ保存エリア６２には、マイコン５０に現在設定されている環境設定パラメータも保存されている。電源８０は、制御回路用電圧が必要な箇所へ電圧を供給する装置であり、電源制御部７０により電源の供給が制御される。以上の各部１０〜７０はシステムバス９０により接続されている。
【００１５】
次に、本発明の実施形態１に係る表示装置本体１００のマイコン５０による自動設定処理の手順について説明する。以下、図３に示す自動設定処理のステップ順に説明する。まず、ユーザが表示装置本体１００の電源８０を投入するとマイコン５０が起動する。また、表示装置本体１００がスタンバイ状態となっているときに、ユーザが操作を行うとスタンバイ状態が解除される。このようにマイコン５０が起動したり、スタンバイ状態が解除されると、マイコン５０の自動環境設定処理部５１が自動設定処理を開始する。
【００１６】
（ステップＳ１０）
次に、自動環境設定処理部５１は、不揮発性メモリ６０のスタンド取り付け状態保存エリア６１から前回のスタンド取り付け状態のデータを取り出す。前回のスタンド取り付け状態のデータを参照した結果、スタンド２００が取り付けられていると判断したときは、自動環境設定処理部５１は前回スタンド取付有無フラグに「１」を設定する。また、前回のスタンド取り付け状態のデータを参照した結果、スタンド２００が取り付けられていないと判断したときは、自動環境設定処理部５１は前回スタンド取付有無フラグに「０」を設定する。
【００１７】
（ステップＳ２０）
次に、自動環境設定処理部５１は、判別用入力端子１１３ｂの検出レベルを入力する。自動環境設定処理部５１は、判別用入力端子１１３ｂの検出レベルが「Ｌｏ」であれば、スタンド２００が取り付けられていると判断して今回スタンド取付有無フラグに「１」を設定する。また、自動環境設定処理部５１は、判別用入力端子１１３ｂの検出レベルが「Ｈｉ」であれば、スタンド２００が取り付けられていないと判断して今回スタンド取付有無フラグに「０」を設定する。
【００１８】
（ステップＳ３０）
次に、自動環境設定処理部５１は、前回スタンド取付有無フラグと今回スタンド取付有無フラグが一致しているかを判定する。前回スタンド取付有無フラグと今回スタンド取付有無フラグが一致しているとき(ステップＳ３０のＹｅｓ)は、環境設定を行うステップＳ８０に進む。また、前回のスタンド取付有無フラグと今回スタンド取付有無フラグが一致していないとき(ステップＳ３０のＮｏ)は、環境設定画面を表示して環境設定の変更を行うかを確認するステップＳ４０に進む。
【００１９】
（ステップＳ４０）
ステップＳ３０がＮｏの場合、表示装置本体１００は前回と異なる状態で設置されたので、自動環境設定処理部５１がスタンド取り付け状態の環境設定変更画面データを表示部４０に出力する。その出力に基づいて表示部４０は、図４に示すスタンド取り付け状態の環境設定変更画面を表示する。
【００２０】
（ステップＳ５０）
次に、自動環境設定処理部５１は、ユーザが環境設定変更画面から「変更する」を入力したかを判定する。ユーザが「変更する」を入力したとき(ステップＳ５０のＹｅｓ)は、環境設定パラメータを変更するステップＳ６０に進む。また、ユーザが「変更しない」を入力したとき(ステップＳ５０のＮｏ)は、今回のスタンド取り付け状態を保存するステップＳ７０に進む。
【００２１】
（ステップＳ６０）
ステップＳ５０がＹｅｓの場合、自動環境設定処理部５１は、不揮発性メモリ６０の環境設定パラメータ保存エリア６２からスタンド２００の取り付けに関係するパラメータを取り出す。自動環境設定処理部５１は、取り出したパラメータに基づいてマイコン５０の環境設定パラメータを変更する。例えば、壁取り付け状態のときは表示装置本体１００のキャビネットの放熱穴がふさがれるが、スタンド取り付け状態のときは放熱穴はふさがれない。そこで、スタンド取り付け状態のときは、環境設定パラメータは冷却ファン動作設定温度の閾値を上げたり、またファンの回転を下げるような内部温度制御のパラメータに変更される。また、壁取り付け状態のときは音響が強調傾向となるが、スタンド取り付け状態のときは音響が強調傾向とはならない。そこで、壁取り付け状態のときは、環境設定パラメータは低音域を絞る音響出力制御のパラメータに変更される。
【００２２】
（ステップＳ７０）
次に、自動環境設定処理部５１はマイコン５０に設定した環境設定パラメータを不揮発性メモリ６０の環境設定パラメータ保存エリア６２に保存する。
【００２３】
（ステップＳ８０）
続いて、自動環境設定処理部５１は、環境設定パラメータに基づいた各種設定を行うと自動環境設定処理を終了する。
【００２４】
尚、本実施形態では、ステップＳ４０において図４に示すスタンド取り付け状態の環境設定変更画面を表示させ、ユーザが「変更する」または「変更しない」を選択するようにした。しかし、ステップＳ４０のスタンド取り付け状態の環境設定変更画面の表示を行わずに、自動環境設定処理部５１がステップＳ５０に進むようにすることも可能である。
【００２５】
以上のような実施形態１によれば、表示装置本体にスタンドが取り付けられているかを表示装置本体自体が自動的に検出する。そして、ユーザがメニュー画面から環境設定を行うことなく確認を入力するのみで、最適な環境設定を行うことができる。この結果、例えば内部温度制御が最適化されるので、表示装置自体の寿命を延ばすことができ、品質劣化を防ぐことができる。また、音響出力制御が最適化されるので、表示装置が本来備えている性能を最大限に発揮することができる。
【００２６】
次に、本発明を実施するための第２の実施形態（以下、「実施形態２」という）を、図面を参照して説明する。実施形態２は、電気的に絶縁分離した２つの金属ガイドを備えている壁掛け用バックプレートを表示装置の裏側の左右にビス固定し、この壁掛け用バックプレートを壁に固定されている設置用金具に取り付ける。この金属ガイドを壁に取り付けることにより、表示装置本体が壁に取り付けられているか否かを検出する。表示装置本体が壁に取り付けられているときには、表示装置本体が壁取り付けられた状態の環境設定が行われる。
【００２７】
表示装置本体３００が壁に取り付けられているか否かを検出する機能を有する表示装置本体３００の構造について説明する。図５（１）は、表示装置本体３００に壁掛け用バックプレート４００を取り付ける手順を示す図である。図５（２）は、壁に固定されている設置受け金具５００に装置本体３００の壁掛け用バックプレート４００を取り付ける図である。図５（３）は、表示装置本体３００の壁掛け用バックプレート４００が設置受け金具５００の取り付け有無を検出する構造を説明する図である。
【００２８】
まず、表示装置本体３００に壁掛け用バックプレート４００を取り付ける手順について説明する。図５（１）に示すように、表示装置本体３００の裏側の左右に、各々２つ（合計４つ）のビス穴３１０が形成されている。この４つのビス穴３１０は、表示装置本体３００を設置受け金具５００に取り付けたときに、設置受け金具５００を介して同一の電位となるような構造とする。壁掛け用バックプレート４００は、バックプレート状の金属板を表示装置本体３００の裏側の左右２箇所に縦方向でビス穴３１０を覆うようにネジ４１０で固定される。このように壁掛け用バックプレート４００を取り付けることで、左右のビス穴３１０の間が絶縁される。壁に固定されている設置受け金具５００は、四角形の金属プレートによって表示装置本体３００を壁に固定する金具である。図５（２）に示すように、壁掛け用バックプレート４００が取り付けられた表示装置本体３００は、作業者によって壁に固定されている設置受け金具５００まで移動される。そして、作業者が設置受け金具５００の四角形の金属プレートに壁掛け用バックプレート４００の図示しないフックを取り付けることで、表示装置本体３００は壁に固定される。
【００２９】
次に、表示装置本体３００の壁掛け用バックプレート４００が設置受け金具５００の取り付け有無を検出する構造について説明する。図５（３）に示すように左右のビス穴３１０は、一方はＧＮＤ側のＧＮＤ端子３１１ａに接続され、もう一方はマイコン５０側の判別用入力端子３１１ｂと電源側に抵抗を介してプルアップされる電源接続部３１１ｃに接続される構造となっている。設置受け金具５００の四角形の金属プレートに壁掛け用バックプレート４００のフックが取り付けられると、左右の壁掛け用バックプレート４００間が導通する。この導通により、一方のビス穴３１０のＧＮＤ端子３１１ａと他方のビス穴３１０の電源接続部３１１ｃが同一の電位となる。このようにＧＮＤ端子３１１ａと判別用入力端子３１１ｂが同一の電位となると、マイコン５０は判別用入力端子３１１ｂの「Ｌｏ」を検出し、表示装置本体３００が壁に取り付けられたと判定する。また、電源接続部３１１ｃが抵抗を介して電源にプルアップされたときは、マイコン５０は判別用入力端子３１１ｂの「Ｈｉ」を検出し、表示装置本体３００が壁に取り付けられていないと判定する。
【００３０】
本発明の実施形態２に係る表示装置本体３００の機能構成は、図２に示す実施形態１の「スタンド取り付け状態保存エリア６１」が「壁取り付け状態保存エリア６１ａ」に変更されることを除いて同じである。また、本発明の実施形態２に係る表示装置本体３００の自動設定処理の手順は、図３に示す実施形態１の自動設定処理のフローチャートにおいて、「スタンド取り付け状態」が「壁取り付け状態」、「前回スタンド取付有無フラグ」が「前回壁取付有無フラグ」、「今回スタンド取付有無フラグ」が「今回壁取付有無フラグ」に変更されることを除いて同じである。
【００３１】
以上のような実施形態２によれば、表示装置本体が壁に取り付けられているかを表示装置本体自体が自動的に検出する。そして、ユーザがメニュー画面から環境設定を行うことなく確認を入力するのみで、最適な環境設定を行うことができる。
【００３２】
次に、本発明を実施するための第３の実施形態（以下、「実施形態３」という）を、図面を参照して説明する。実施形態３は、折り畳みが可能な卓上スタンドを備えた表示装置において、表示装置本体が卓上スタンドが閉じられているか否かを検出する。そして、卓上スタンドが閉じられているときには、表示装置本体が壁に掛けられた状態の環境設定が行われる。
【００３３】
表示装置本体６００の卓上スタンド６１０が閉じられているか否かを検出する機能を有する表示装置本体６００の構造について説明する。図６（１）は、表示装置本体６００の卓上スタンド６１０が開かれている（卓上に置かれている）ときに、卓上スタンドが開いている状態を検出する構造を説明する図である。図６（２）は、表示装置本体６００の卓上スタンド６１０が閉じられている（壁に掛けられている）ときに、卓上スタンド６１０が閉じている状態を検出する構造を説明する図である。
【００３４】
まず、表示装置本体６００の卓上スタンド６１０を卓上に設置する、または壁に掛ける手順について説明する。図６（１）に示すように、卓上スタンド６１０はヒンジ６１１を支点としてやや斜めに開くことで表示装置本体６００の荷重を支え、表示装置本体６００を卓上に置くことができる。また、図６（２）に示すように、卓上スタンド６１０をヒンジ６１１を支点として閉じて、壁に固定されているフック７００を、表示装置本体６００のフック穴６２０に挿入することで、表示装置本体６００を壁に掛けることができる。
【００３５】
このような表示装置本体６００において、表示装置本体６００の内部に機械的なスイッチ６３０が取り付けられている。また、卓上スタンド６１０には、このスイッチ６３０を「オン」できる位置に突起ピン６１２が取り付けられている。そして、表示装置本体６００には突起ピン６１２によりスイッチ６３０が「オン」できるようにスイッチ穴６４０が形成されている。スイッチ６３０は、ＧＮＤ側に接続されるＧＮＤ端子６３０ａ、マイコン５０と接続される判別用入力端子６３０ｂ、電源側にプルアップ接続される電源接続部６３０ｃとを備えている。マイコン５０は、スイッチ６３０の判別用入力端子６３０ｂの検出レベルにより卓上スタンド６１０が開いているか閉じているかを判定する。このような構造の表示装置本体６００において図６（１）に示すように、卓上スタンド６１０が開いているときには突起ピン６１２がスイッチ穴６４０に挿入されないので、スイッチ６３０は「オフ」となる。この場合判別用入力端子６３０ｂは抵抗を介して電源接続部６３０ｃに接続され、マイコン５０は判別用入力端子６３０ｂの「Ｈｉ」を検出し、卓上スタンド６１０が開いていると判定する。また、表示装置本体６００において図６（２）に示すように、卓上スタンド６１０が閉じているときには突起ピン６１２がスイッチ穴６４０に挿入され、スイッチ６３０が「オン」となる。この場合ＧＮＤ端子６３０ａが判別用入力端子６３０ｂに接続されるので、マイコン５０は判別用入力端子６３０ｂの「Ｌｏ」を検出し、卓上スタンド６１０が閉じていると判定する。
【００３６】
本発明の実施形態３に係る表示装置本体６００の機能構成は、図２に示す実施形態１の「スタンド取り付け状態保存エリア６１」が「壁掛け状態保存エリア６１ｂ」に変更されることを除いて同じである。また、本発明の実施形態３に係る表示装置本体６００の自動設定処理の手順は、図３に示す実施形態１の自動設定処理のフローチャートにおいて、「スタンド取り付け状態」が「壁掛け状態」、「前回スタンド取付有無フラグ」が「前回壁掛け有無フラグ」、「今回スタンド取付有無フラグ」が「今回壁掛け有無フラグ」に変更される箇所を除いて同じである。
【００３７】
以上のような実施形態３によれば、表示装置本体が壁に掛けられているかを表示装置本体自体が自動的に検出する。そして、ユーザがメニュー画面から環境設定を行うことなく確認を入力するのみで、最適な環境設定を行うことができる。
【００３８】
以上、具体的な実施の形態により本発明を説明したが、上記実施の形態は本発明の例示であり、この実施の形態に限定されないことは言うまでもない。
【産業上の利用可能性】
【００３９】
本発明は、表示装置に好適であるが、表示装置に限られるものではなく、設置状態に応じて環境設定などを変更する装置一般に適用可能である。
【符号の説明】
【００４０】
１０・・・・・・・・・受信部
２０・・・・・・・・・音声処理部
３０・・・・・・・・・映像処理部
４０・・・・・・・・・表示部
５０・・・・・・・・・マイコン
５１・・・・・・・・・自動環境設定処理部
６０・・・・・・・・・不揮発性メモリ
６１・・・・・・・・・スタンド取り付け状態保存エリア
６２・・・・・・・・・環境設定パラメータ保存エリア
７０・・・・・・・・・電源制御部
８０・・・・・・・・・電源
９０・・・・・・・・・システムバス
１００・・・・・・・・表示装置本体
１１０・・・・・・・・受け穴
１１１・・・・・・・・ガイド
１１２・・・・・・・・バネ状プレート
１１３・・・・・・・・スイッチ
１１３ａ・・・・・・・ＧＮＤ端子
１１３ｂ・・・・・・・判別用入力端子
１１３ｃ・・・・・・・電源接続部
２００・・・・・・・・スタンド
２１０・・・・・・・・支柱
３００・・・・・・・・表示装置本体
３１０・・・・・・・・ビス穴
３１１ａ・・・・・・・ＧＮＤ端子
３１１ｂ・・・・・・・判別用入力端子
３１１ｃ・・・・・・・電源接続部
４００・・・・・・・・壁掛け用バックプレート
４１０・・・・・・・・ネジ
５００・・・・・・・・設置受け金具
６００・・・・・・・・表示装置本体
６１０・・・・・・・・卓上スタンド
６１１・・・・・・・・ヒンジ
６１２・・・・・・・・突起ピン
６２０・・・・・・・・フック穴
６３０・・・・・・・・スイッチ
６３０ａ・・・・・・・ＧＮＤ端子
６３０ｂ・・・・・・・判別用入力端子
６３０ｃ・・・・・・・電源接続部
７００・・・・・・・・フック
【図１】
2011135148.tif 000003
【図２】
2011135148.tif 000004
【図３】
2011135148.tif 000005
【図４】
2011135148.tif 000006
【図５】
2011135148.tif 000007
【図６】
2011135148.tif 000008